(57)【特許請求の範囲】
【請求項１】
ランプを装備した光源部と点灯装置を有する点灯装置部とが互いに略平行に設けられ、前記ランプを棚前縁に略平行にさせて棚下に取付けられ棚下方を照射する棚下照明器具であって、
前記光源部に外側遮光面を設けると共に前記外側遮光面の対向側には照射開口部を設け、前記光源部に向く前記点灯装置部外側面を内側遮光面とし、前記内側遮光面が前記照射開口部に近接して覆った状態と離隔して開放した状態とを前記光源部の回転により選択可能とし、前記内側遮光面のそれぞれの状態に対応して前記光源部と点灯装置部の取付け姿勢を変更を可能とし、前記内側遮光面が近接した状態のときに前記光源部を棚前縁に近接する側に位置させ、前記内側遮光面が離隔した状態のときに前記点灯装置部を棚前縁に近接する側に位置させることで、前方配光と後方配光とを切替え可能としたことを特徴とする棚下照明器具。
【請求項２】
光源部の回転は前記光源部の略中心を回転中心とする１８０度の自転であり、点灯装置部が上下および前後逆転して取付けられる請求項１記載の棚下照明器具。
【請求項３】
光源部の回転は、点灯装置部の略中心を回転中心とする１８０度の公転と前記光源部の略中心を回転中心とする１８０度の自転である請求項１記載の棚下照明器具。
【請求項４】
ランプを装備した光源部と点灯装置を有する点灯装置部とが互いに略平行に設けられ、前記ランプを棚前縁に略平行にさせて棚下に取付けられ棚下方を照射する棚下照明器具であって、
前記光源部に外側遮光面を設けると共に前記外側遮光面の対向側には照射開口部を設け、前記光源部に向く前記点灯装置部外側面を内側遮光面とし、前記内側遮光面が前記照射開口部に近接して覆った状態と離隔して開放した状態とを、前記点灯装置部の回転により前記光源部の後方移動状態と上方移動状態とに選択可能とし、前記内側遮光面のそれぞれの状態に対応して前記光源部と点灯装置部の取付け姿勢を変更可能とし、前記内側遮光面が近接した状態のときの前方配光と、前記内側遮光面が離隔したときの後方配光とに切替え可能としたことを特徴とする棚下照明器具。
【発明の詳細な説明】
【０００１】
【発明の属する技術分野】
この発明は、商品を陳列する什器等の棚下に設置する棚下照明器具に関するものである。
【０００２】
【従来の技術】
従来より、図１６に示すような商品を陳列するための什器がある。図において、１２０は商品を陳列するガラス棚、１２１は木棚であり、それぞれ支持柱１２３に取付けたブラケット１２２にて支持されている。また、１２４はガラス棚１２０や木棚１２１の棚下に取付けた棚下照明器具であり、支持柱１２３に内蔵した線状コンセント１２５に接続してある。
【０００３】
【発明が解決しようとする課題】
棚下照明には、図１７に示すような前方配光と、図１８に示すような後方配光がある。図１７において、１３０は什器の棚板、１３５は棚板に陳列した商品、１３７は什器の壁面、１３１は棚下に設置した棚下照明器具である。棚下照明器具１３１は、安定器部１３３と、その前方に位置した光源１３２と、さらにその前方に位置した遮光板１３４等からなる。光源１３２の配光１３６は、安定器部１３３で遮られて後方へは照射されず、商品１３５の前面のみに照射される。
【０００４】
このような前方配光の棚下照明器具１３１を用いることで、棚板に多くの商品１３５を陳列しても、配光１３６が陳列商品１３５によって遮られることがなく、棚板に多くの商品を陳列する場合に適している。また、図１８において、１４０は棚下に設置した棚下照明器具であり、安定器部１４２と、その後方に位置した光源１４１等から構成されている。光源１４１の配光１４３は、安定器部１４２で遮られて前方へは照射されず、棚板表面１４４ならびに什器壁面１３７に照射される。
【０００５】
このような後方配光の棚下照明器具１４０を用いることで、棚板表面１４４ならびに什器壁面１３７に対してほぼ均等な明るさを得ることができ、いわゆるアイキャッチ効果を得ることができるが、商品１３５を多く重ねて陳列すると配光が遮られてしまうので、専門店や百貨店等のあまり多くの商品１３５を重ねて陳列しない店舗に適している。
【０００６】
このように、従来は、棚板に陳列する商品１３５の量に応じて、前方配光と後方配光の２種類の棚下照明器具１３１，１４０を使い分ける必要があり、コスト高で管理も困難であった。
この発明は、同一の器具で前方配光と後方配光の両方が行える棚下照明器具を提供することを目的とする。
【０００７】
【課題を解決するための手段】
請求項１記載の棚下照明器具は、ランプを装備した光源部と点灯装置を有する点灯装置部とが互いに略平行に設けられ、ランプを棚前縁に略平行にさせて棚下に取付けられ棚下方を照射する棚下照明器具であって、光源部に外側遮光面を設けると共に外側遮光面の対向側には照射開口部を設け、光源部に向く点灯装置部外側面を内側遮光面とし、内側遮光面が照射開口部に近接して覆った状態と離隔して開放した状態とを光源部の回転により選択可能とし、内側遮光面のそれぞれの状態に対応して光源部と点灯装置部の取付け姿勢を変更を可能とし、内側遮光面が近接した状態のときに光源部を棚前縁に近接する側に位置させ、内側遮光面が離隔した状態のときに点灯装置部を棚前縁に近接する側に位置させることで、前方配光と後方配光とを切替え可能としたことを特徴とするものである。
【０００９】
請求項２記載の棚下照明器具は、請求項１において、光源部の回転は光源部の略中心を回転中心とする１８０度の自転であり、点灯装置部が上下および前後逆転して取付けられるものである。
請求項３記載の棚下照明器具は、請求項１において、光源部の回転は、点灯装置部の略中心を回転中心とする１８０度の公転と光源部の略中心を回転中心とする１８０度の自転である。
【００１１】
請求項４記載の棚下照明器具は、ランプを装備した光源部と点灯装置を有する点灯装置部とが互いに略平行に設けられ、ランプを棚前縁に略平行にさせて棚下に取付けられ棚下方を照射する棚下照明器具であって、光源部に外側遮光面を設けると共に外側遮光面の対向側には照射開口部を設け、光源部に向く点灯装置部外側面を内側遮光面とし、内側遮光面が照射開口部に近接して覆った状態と離隔して開放した状態とを、点灯装置部の回転により光源部の後方移動状態と上方移動状態とに選択可能とし、内側遮光面のそれぞれの状態に対応して光源部と点灯装置部の取付け姿勢を変更可能とし、内側遮光面が近接した状態のときの前方配光と、内側遮光面が離隔したときの後方配光とに切替え可能としたことを特徴とするものである。
【００１３】
この発明の棚下照明器具によると、内側遮光面または外側遮光面を移動することによって前方配光と後方配光を切り替えることができ、同一の器具で前方配光と後方配光の両方が行える。
【００１４】
【発明の実施の形態】
第１の実施の形態
この発明の第１の実施の形態を図１ないし図５に基づいて説明する。
図１は、棚板１０の下面に設置する棚下照明器具１１の動作を説明する断面図である。図１（ａ）は前方配光における棚下照明器具１１の断面図を示しており、図２にその斜視図を示す。１２はランプ１４ならびに反射板２０を装備した光源部、１３は安定器１５等の点灯装置を装備した点灯装置部であり、互いに略平行にエンド部２１に取付けられている。棚下照明器具１１は、ランプ１４を棚前縁１０ａに略平行にさせて、光源部１２を棚前縁１０ａ側に配して棚下に取付けられている。
【００１５】
また、１６は光源部１２の外側に設けた外側遮光面、１７は点灯装置部１３の光源部１２に向く外側面からなる内側遮光面、１８は光源部１２に設けた照射開口部である。光源部１２は、外側遮光面１６が点灯装置部１３の外側面に近接した状態と離隔した状態を選択できるように、光源部１２の略中心を回転中心１９として１８０度自転自在にエンド部２１に取付けられている。
【００１６】
図１（ａ）の前方配光では、外側遮光面１６が内側遮光面１７から隔離した状態に対応した姿勢にて棚下に取付けられており、ランプ１４から照射された光は、内側遮光面１７に遮られて棚板後方や什器壁面には届かず、照射開口部１８を通って棚板前方のみを照らす。また、前方からの視線に対しては、外側遮光面１６によって遮光する。
【００１７】
図１（ｂ），（ｃ），（ｄ）は、光源部１２を回転させる動作状態を示しており、それぞれ図３，図４，図５にその状態における棚下照明器具１１の斜視図を示す。すなわち、光源部１２を回転中心１９回りに１８０度回転させ、外側遮光面１６を内側遮光面１７に近接させる。
次に、図１（ｅ）に示すように、棚下照明器具１１を上下および前後に逆転し、外側遮光面１６を内側遮光面１７に近接した状態に対応した姿勢にて棚下に取付け、後方配光とする。ランプ１４から照射された光は、照射開口部１８を通って棚板後方や什器壁面を照らす。また、前方からの視線に対しては、外側遮光面１６によって遮光する。
【００１８】
このように構成された棚下照明器具１１によると、光源部１２を点灯装置部１３の前方に位置させ、かつ外側遮光面１６を内側遮光面１７から離隔することで前方配光となり、また光源部１２を点灯装置部１３の後方に位置させ、かつ外側遮光面１６を内側遮光面１７に近接することで後方配光となる。このように同一の器具で前方配光と後方配光が行え、安価で管理もし易い。
【００１９】
第２の実施の形態
この発明の第２の実施の形態を図６ないし図１０に基づいて説明する。なお、第１の実施の形態と同一部分は同一符号を付してその説明を省略する。
この実施の形態の棚下照明器具３１は、点灯装置部１３が略中心を回転中心３２として１８０度公転自在にエンド部２１に取付けられたものである。
【００２０】
図６（ａ）は外側遮光面１６が内側遮光面１７から隔離した状態に対応した姿勢にて棚下に取付けた前方配光を示しており、図７にその斜視図を示す。また、図６（ｂ）（ｃ）は動作状態を示しており、それぞれ図８，図９にその状態における棚下照明器具３１の斜視図を示す。すなわち、光源部１２を回転中心１９回りに１８０度回転させると共に、点灯装置部１３を回転中心３２回りに１８０度回転させる。そして、図６（ｄ）に示すように、外側遮光面１６を内側遮光面１７に近接させた状態に対応した姿勢にて棚下に取付け、後方配光とする。図１０にその斜視図を示す。
【００２１】
このように構成された棚下照明器具３１においても第１の実施の形態と同様の効果が得られる。
【００２９】
第３の実施の形態
この発明の第３の実施の形態を図１１ないし図１５に基づいて説明する。図１１（ａ）は前方配光における棚下照明器具８１の断面図を示しており、その斜視図を図１３に示す。また、棚下照明器具８１の分解斜視図を図１２に示す。８２はランプ８４ならびに反射板８６を装備した光源部、８３は安定器８５等の点灯装置を装備した点灯装置部であり、それぞれエンド部９１，９２が取付けられており、エンド部９１，９２どうしをヒンジ部９３にて回動自在に連結している。光源部８２と点灯装置部８３を略平行に配置し、ランプ８４を棚前縁１０ａに略平行にさせて、光源部８２を棚前縁１０ａ側に配して棚下に取付けられている。すなわち、点灯装置部８３を光源部８２の後方移動状態とする。
【００３０】
また、８７は光源部８２の外側に設けた外側遮光面、８８は点灯装置部８３の光源部８２に向く外側面からなる内側遮光面、８９は光源部８２に設けた照射開口部である。光源部８２と点灯装置部８３はヒンジ部９３の回転中心９０回りに回転自在に連結されている。図１１（ａ）の前方配光では、点灯装置部８３を光源部８２の後方に移動した状態に対応した姿勢にて棚下に取付けられており、ランプ８４から照射された光は、内側遮光面８８に遮られて棚板後方や什器壁面には届かず、照射開口部８９を通って棚板前方のみを照らす。また、前方からの視線に対しては、回転式遮光板８７によって遮光する。
【００３１】
図１１（ｂ），（ｃ）は動作状態を示しており、それぞれ図１４，図１５にその状態における棚下照明器具８１の斜視図を示す。すなわち、ヒンジ部９３の回転中心９０回りに点灯装置部８３を回転させ、光源部８２の上に重ね、点灯装置部８３を光源部８２の上方移動状態とする。図１１（ｃ）のように、点灯装置部８３を光源部８２の上方に移動した状態に対応した姿勢にて棚下に取付け、後方配光とする。ランプ８４から照射された光は、照射開口部８９を通って棚板後方や什器壁面を照らす。また、前方からの視線に対しては、外側遮光面８７によって遮光する。
【００３２】
このように構成された棚下照明器具８１においても第１の実施の形態と同様の効果が得られる。
【００３７】
【発明の効果】
この発明の棚下照明器具によると、内側遮光面または外側遮光面を移動することによって前方配光と後方配光を切り替えることができ、同一の器具で前方配光と後方配光の両方が行え、安価で管理もし易くなる。
【図面の簡単な説明】
【図１】  この発明の第１の実施の形態における棚下照明器具の動作説明図である。
【図２】  図１（ａ）における棚下照明器具の２方向から見た斜視図である。
【図３】  図１（ｂ）における棚下照明器具の２方向から見た斜視図である。
【図４】  図１（ｃ）における棚下照明器具の２方向から見た斜視図である。
【図５】  図１（ｄ）における棚下照明器具の２方向から見た斜視図である。
【図６】  この発明の第２の実施の形態における棚下照明器具の動作説明図である。
【図７】  図６（ａ）における棚下照明器具の２方向から見た斜視図である。
【図８】  図６（ｂ）における棚下照明器具の２方向から見た斜視図である。
【図９】  図６（ｃ）における棚下照明器具の２方向から見た斜視図である。
【図１０】  図６（ｄ）における棚下照明器具の２方向から見た斜視図である。
【図１１】  この発明の第３の実施の形態における棚下照明器具の動作説明図である。
【図１２】  この発明の第３の実施の形態における棚下照明器具の２方向から見た分解斜視図である。
【図１３】  図１１（ａ）における棚下照明器具の２方向から見た斜視図である。
【図１４】  図１１（ｂ）における棚下照明器具の２方向から見た斜視図である。
【図１５】  図１１（ｃ）における棚下照明器具の２方向から見た斜視図である。
【図１６】  従来からある什器の斜視図である。
【図１７】  従来の前方配光の棚下照明器具の断面図である。
【図１８】  従来の後方配光の棚下照明器具の断面図である。
【符号の説明】
１０  棚板
１１，３１，６１，８１  棚下照明器具
１２，８２  光源部
１３，８３  点灯装置部
１４，８４  ランプ
１６，８７  外側遮光面
１７，８８  内側遮光面
１８，８９  照射開口部
１９，３２  回転中心
【図１】
0003804261.tif 000002
【図２】
0003804261.tif 000003
【図３】
0003804261.tif 000004
【図４】
0003804261.tif 000005
【図５】
0003804261.tif 000006
【図６】
0003804261.tif 000007
【図７】
0003804261.tif 000008
【図８】
0003804261.tif 000009
【図９】
0003804261.tif 000010
【図１０】
0003804261.tif 000011
【図１１】
0003804261.tif 000012
【図１２】
0003804261.tif 000013
【図１３】
0003804261.tif 000014
【図１４】
0003804261.tif 000015
【図１５】
0003804261.tif 000016
【図１６】
0003804261.tif 000017
【図１７】
0003804261.tif 000018
【図１８】
0003804261.tif 000019